(57)【要約】      （修正有）【課題】基礎杭の主筋の外側拡張防止構造を提供する。【解決手段】少なくとも１つの主柱体９００と、主柱体を囲繞して排列された複数本の主筋９１０からなり、基礎杭の主筋の外側拡張防止構造は、それぞれ連結部１１０と規制部１２０からなる複数本のせん断力釘１００を含み、連結部はせん断力釘の一端にあって、主柱体に設置される。規制部はせん断力釘の他端にあって、複数本の主筋のうちの一方と連結されて、連結された主筋と主柱体の間の距離を規制して、基礎杭内の主筋が外側に拡張するのを防止する。【選択図】図３
0003180014.tif 000002
【実用新案登録請求の範囲】
【請求項１】
少なくとも１つの主柱体と、前記主柱体を囲繞して排列された複数本の主筋からなる基礎杭内の前記主筋の外側拡張を防止するための基礎杭の主筋の外側拡張防止構造であって、複数本のせん断力釘を有し、前記せん断力釘はそれぞれ又、
前記せん断力釘の一端にあり、前記主柱体を設置するための連結部と、
前記せん断力釘の他端にあり、前記主筋うちの一方と連結されて、連結された前記主筋と前記主柱体との間の距離を規制する規制部と、
からなることを特徴とする基礎杭の主筋の外側拡張防止構造。
【請求項２】
前記基礎杭は更に、枠形に形成されて前記基礎杭の軸方向に排列された複数本のあばら筋を有し、前記規制部は隣接する2本のあばら筋の間にある前記主筋に連結されることを特徴とする請求項１に記載の基礎杭の主筋の外側拡張防止構造。
【請求項３】
前記せん断力釘の各長さは、それぞれ前記主筋から前記主柱体までの間の最短距離に対応して形成されることを特徴とする請求項１に記載の基礎杭の主筋の外側拡張防止構造。
【考案の詳細な説明】
【技術分野】
【０００１】
本考案は、建築構造体における基礎杭又は横梁の主筋の外側拡張防止構造に関する。
【背景技術】
【０００２】
図１のように、公知の基礎杭は複数本の主筋９１０が所定の間隔で主柱体９００を囲繞して排列され、枠形に形成されたあばら筋９２０で基礎杭の軸方向に、あばら筋９２０と主筋９１０が交差する箇所に、ワイヤーでの縛り、溶接等により相対的な位置を固定する。また、主筋９１０の間は主筋が基礎杭に放射状に外側に拡張するのを防止する補強筋９３０を絡ませると共に、主柱体９００に複数本の補強釘９４０を突設する。コンクリート９５０を主柱体９００と主筋９１０、及びあばら筋９２０の間に流し込んで、主筋９１０、あばら筋９２０、補強筋９３０、及び補強釘９４０を被覆する。コンクリート９５０が硬化した後、その相対的な位置に基礎杭を形成する。
【考案の概要】
【考案が解決しようとする課題】
【０００３】
然しながら、前述した従来の技術では、全ての主筋９１０に補強筋９３０が適切に設置されるわけではない。コンクリート等を流し込んで主筋９１０に圧力が掛かった状況で、これらの補強筋９３０が設けられていない主筋９１０は、あばら筋９２０と交差する位置では、あばら筋９２０により外側拡張を防止できるが、隣接する2本のあばら筋９２０の間にある主筋９１０には、主筋９１０が基礎杭の外側に湾曲するのを規制する部材が何も無いことから、この箇所の主筋９１０は依然として外側に拡張する可能性がある。
【０００４】
なお、小さな間隔で更に多数のあばら筋９２０設置する場合、上記の問題の改善は可能であるが、更に多数のあばら筋９２０を使用することで材料コストが増加する。
【０００５】
そこで、本発明者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、基礎杭の主筋の外側拡張防止構造を提供することを主目的とする。全ての主筋の外側拡張が確実に防止できると共に、材料コストの増加を抑制できる。
【課題を解決するための手段】
【０００７】
上記課題を解決し、目的を達成するために、本考案に係る基礎杭の主筋の外側拡張防止構造は、少なくとも１つの主柱体と、前記主柱体を囲繞して排列された複数本の主筋からなる基礎杭内の前記主筋の外側拡張を防止するためのものであって、前記基礎杭の主筋の外側拡張防止構造は、複数本のせん断力釘を有し、前記せん断力釘はそれぞれ又、
前記せん断力釘の一端にあり、前記主柱体を設置するための連結部と、
前記せん断力釘の他端にあり、前記主筋うちの一方と連結されて、連結された前記主筋と前記主柱体との間の距離を規制する規制部と、
からなることを特徴とする。
【考案の効果】
【０００８】
本考案によれば、全ての主筋の外側拡張が確実に防止できると共に、材料コストの増加を抑制できる基礎杭の主筋の外側拡張防止構造が得られる。
【図面の簡単な説明】
【０００９】
【図１】公知の基礎杭の一実施形態の上面概略図である。
【図２】本考案を採用した基礎杭の主筋の外側拡張防止構造における基礎杭の一実施形態の上面概略図である。
【図３】図２による基礎杭の斜視概略図である。
【考案を実施するための形態】
【００１０】
以下に図面を参照して、本考案を実施するための形態について、詳細に説明する。なお、本考案は、以下に説明する実施形態に限定されるものではない。
本考案の実施形態における基礎杭の主筋の外側拡張防止構造は、図２、図３のよう、主柱体９００、複数本の主筋９１０、複数本のあばら筋９２０、及び複数本のせん断力釘１００で構成される。前記主柱体９００は管状体で、周囲に複数本のせん断力釘１００を排列して設置する。前記主筋９１０は柱状体で主柱体９００と間隔を空けて、マトリクス状に主柱体９００の外周囲を囲繞する。前記あばら筋９２０は把持部材で、複数主筋９１０間に設置される。前記せん断力釘１００はフック部材で、両端にそれぞれ連接部１１０と規制部１２０を形成し、前記連接部１１０は主柱体９００と連接し、前記規制部１２０はフック状に形成されて、主筋９１０と対応して係止する。こうして、せん断力釘１００はそれぞれ主体筋９００と主筋９１０を相互に係止させて、主筋９１０が外側に拡張するのを効果的に防止することができる。
【００１１】
前記主柱体９００は中空の長方形の柱体に形成され、周囲に複数の鍵穴を設けるが、前記鍵穴はボルト孔として設けることができ、また、主柱体９００の外周囲に対向して間隔を空け、主柱体を中心として複数本の主筋９１０をマトリクス状に環設する。環設した主筋９１０の外周囲に複数本のあばら筋９２０を設けるが、前記あばら筋９２０は垂直方向に適当な間隔で設置され、溶接又は緊縛して複数本の主筋９１０と把持する。主柱体９００間に設けられた鍵穴にはせん断力釘１００を対応させ、主柱体９００及び主筋９１０とあばら筋９２０の設置が完了すると、前記せん断力釘１００の一端のフック状の規制部１２０が主筋９１０をフックし、他端の連接部１１０は主柱体９００の鍵穴に挿し込まれ、せん断力釘１００が互いに把持する主筋９１０とあばら筋９２０及び主柱体９００を緊密に牽引可能にすることで、主筋９１０が中心に集中して、主筋が向外側に拡張するのを防止する。せん断力釘１００の設置が完了すると、主筋９１０の外周囲の適当な間隔を空けた箇所に、囲繞したプレートを設置し、前記プレートと主体柱９００の間にコンクリート９５０を注入すると共に、コンクリート９５０を完全に満たして主筋体９１０、あばら筋９２０、せん断力釘１００を被覆し、コンクリート９５０が乾燥して固まると、基礎杭が完成する。
【００１２】
以上、本考案の実施形態について図面を参照して詳述したが、具体的な構成はこの実施形態に限られるものではなく、本考案の要旨を逸脱しない範囲の設計変更等も含まれる。
【符号の説明】
【００１３】
１００：せん断力釘
１１０：連結部
１２０：規制部
９００：主柱体
９１０：主筋
９２０：あばら筋
９３０：補強筋
９４０：補強釘
９５０：コンクリート
【図１】
0003180014.tif 000003
【図２】
0003180014.tif 000004
【図３】
0003180014.tif 000005